(57)【要約】【課題】体の動きを阻害することなく、体を保護することができ、更に、使用感が良く安心感のあるプロテクターを提供する。【解決手段】ウエア（１１）に衝撃吸収部材（１２・１３・１４）を取り付けて構成されるプロテクターであって、該衝撃吸収部材を身体の可動部に沿って複数に分割した。複数に分割された各衝撃吸収部材が、互いに略隙間無く配置されている箇所を有し、各衝撃吸収部材が略隙間無く配置されている箇所は、地面に接する頻度が他の箇所よりも多い箇所である。複数に分割された各衝撃吸収部材は、さらに複数のパーツに分割され、各衝撃吸収部材同士、及び各パーツ同士が、互いに略隙間なく配置され、該各パーツは、力を加えることなく身体にフィットするだけの大きさである。【選択図】        図１
2004277967.tif 000002
【特許請求の範囲】
【請求項１】
ウエアに衝撃吸収部材を取り付けて構成されるプロテクターであって、該衝撃吸収部材を身体の可動部に沿って複数に分割したことを特徴とするプロテクター。
【請求項２】
複数に分割された各衝撃吸収部材が、互いに略隙間無く配置されている箇所を有することを特徴とする請求項１に記載のプロテクター。
【請求項３】
各衝撃吸収部材が略隙間無く配置されている箇所は、地面に接する頻度が他の箇所よりも多い箇所であることを特徴とする請求項１または請求項２に記載のプロテクター。
【請求項４】
複数に分割された各衝撃吸収部材は、さらに複数のパーツに分割され、
各衝撃吸収部材同士、及び各パーツ同士が、互いに略隙間なく配置されることを特徴とする請求項１乃至請求項３の何れかに記載のプロテクター。
【請求項５】
前記各パーツは、力を加えることなく身体にフィットするだけの大きさに分割されていることを特徴とする請求項４に記載のプロテクター。
【請求項６】
前記プロテクターは、ゆとりを持って装着できる大きさに構成されることを特徴とする請求項１乃至請求項５の何れかに記載のプロテクター。
【請求項７】
前記プロテクターは、下半身を保護するプロテクターであり、
少なくとも、臀部、尾骨部、大腿部、を保護する位置に衝撃吸収部材を配置することを特徴とする請求項１乃至請求項６の何れかに記載のプロテクター。
【請求項８】
前記プロテクターは、上半身を保護するプロテクターであり、
少なくとも、椎骨部、肩甲骨部、肋骨部、肘部、肩部、を保護する位置に衝撃吸収部材を配置することを特徴とする請求項１乃至請求項７の何れかに記載のプロテクター。
【請求項９】
ウエアに衝撃吸収部材を取り付けて構成されるプロテクターであって、
保護する身体の部位に応じて、異なる材質の衝撃吸収部材を選択して配置することを特徴とするプロテクター。
【請求項１０】
前記プロテクターは、下半身を保護するプロテクターであり、
孔を設けた衝撃吸収部材を、臀部保護用に使用することを特徴とする請求項９に記載のプロテクター。
【請求項１１】
前記プロテクターは、下半身を保護するプロテクターであり、
該プロテクターを膝下丈に構成することを特徴とする請求項１乃至請求項７、請求項９、及び請求項１０の何れかに記載のプロテクター。
【請求項１２】
前記プロテクターは、下半身を保護するプロテクターであり、
該プロテクターの膝部分には、縦方向にのみ伸びる素材が使用されることを特徴とする請求項１乃至請求項７及び請求項９乃至請求項１１の何れかに記載のプロテクター。
【請求項１３】
前記プロテクターは、上半身を保護するプロテクターであり、
ハニカム構造で構成された衝撃吸収部材を、少なくとも、肩甲骨部保護用、肋骨部保護用、肩部保護用に使用することを特徴とする請求項１乃至請求項６、請求項８、及び請求項９の何れかに記載のプロテクター。
【請求項１４】
前記プロテクターは、身頃部と袖部とで構成された上半身を保護するプロテクターであり、
該身頃部から袖部を着脱可能にすることを特徴とする請求項１乃至請求項６、請求項８、請求項９、及び請求項１３の何れかに記載のプロテクター。
【請求項１５】
前記プロテクターに取り付けた衝撃吸収部材の一部を着脱可能に構成したことを特徴とする請求項１乃至請求項１４の何れかに記載のプロテクター。
【発明の詳細な説明】
【０００１】
【発明の属する技術分野】
本発明は、スポーツ競技等に使用され、体をしっかりと保護するとともに動きやすいプロテクターの技術に関する。
【０００２】
【従来の技術】
一般的に、スノーボード、スケートボード等のスポーツを行う際等には、転倒時に備えてプロテクターを身に付けることが多い。
従来から、このプロテクターとしては、転倒時の衝撃を和らげる衝撃吸収部材をスポーツウェア等のウエアの適宜位置に取り付けたものが知られている（特許文献１参照）。
例えば、下半身のプロテクターとしては、スポーツウェアのパンツに、大腿骨保護用衝撃吸収部材、骨盤腰両側保護用衝撃吸収部材、臀部保護用衝撃吸収部材、尾骨保護衝撃吸収部材をそれぞれ取り付け、腰及び大腿の動きを阻害しないように、それぞれの衝撃吸収部材を、間隔をあけて配置しているものがある。
上半身のプロテクターとしては、スポーツウェアのシャツに、肘用衝撃吸収部材、腕用衝撃吸収部材、肩甲骨衝撃吸収部材、背部肋骨用衝撃吸収部材、胸椎用衝撃吸収部材、腰椎用衝撃吸収部材、尾骨用衝撃吸収部材を取り付けたものがある。
【０００３】
【特許文献１】
特開２００２−３０５０２号公報
【０００４】
【発明が解決しようとする課題】
しかし、従来の下半身のプロテクターは、腰や大腿部等の動きを阻害しないように、衝撃吸収部材が大きな間隔をあけて配置されており、各衝撃吸収部材が略接するほど狭い間隔で配置されている箇所がない。図１９に示すように、従来のプロテクターは、パンツ６１に、尾骨保護吸収部材６２、臀部保護吸収部材６３・６３、大腿部保護吸収部材６４・６４、骨盤腰衝撃吸収部材６５・６５が取り付けられている。これらの衝撃吸収部材６２・６３・６３・６４・６４・６５・６５は、それぞれ大きな隙間をあけて配置されている。よって、転倒時に衝撃吸収部材間の隙間部分に、地面（雪面）が当たる場合があり、プロテクターを使用しているにもかかわらず、転倒時の衝撃を軽減できなかったり、転倒に対する不安を解消することができなかったりした。
また、従来のプロテクターは、体の動きにより衝撃吸収部材の位置がずれると、体を適切に保護できなくなるため、パンツは、体にしっかりと合う大きさに製作されていた。よって、プロテクターを使用すると体が締付けられて圧迫され、腰や大腿体等、体を動かしにくいという不具合が合った。
従来の衝撃吸収部材は、衝撃を反発・吸収するため、硬い素材で構成されているので、体を動かしにくいという問題もあった。
そこで、本発明では、体の動きを阻害することなく、体を確実に保護することができ、更に、使用感が良くて安心感のあるプロテクターを提供する。
【０００５】
【課題を解決するための手段】
本発明の解決しようとする課題は以上の如くであり、次にこの課題を解決するための手段を説明する。
【０００６】
即ち、請求項１においては、ウエアに衝撃吸収部材を取り付けて構成されるプロテクターであって、該衝撃吸収部材を身体の可動部に沿って複数に分割したものである。
【０００７】
請求項２においては、複数に分割された各衝撃吸収部材が、互いに略隙間無く配置されている箇所を有するものである。
【０００８】
請求項３においては、各衝撃吸収部材が略隙間無く配置されている箇所は、地面に接する頻度が他の箇所よりも多い箇所であるものである。
【０００９】
請求項４においては、複数に分割された各衝撃吸収部材は、さらに複数のパーツに分割され、各衝撃吸収部材同士、及び各パーツ同士が、互いに略隙間なく配置されるものである。
【００１０】
請求項５においては、前記各パーツは、力を加えることなく身体にフィットするだけの大きさに分割されているものである。
【００１１】
請求項６においては、前記プロテクターは、ゆとりを持って装着できる大きさに構成されるものである。
【００１２】
請求項７においては、前記プロテクターは、下半身を保護するプロテクターであり、少なくとも、臀部、尾骨部、大腿部、を保護する位置に衝撃吸収部材を配置するものである。
【００１３】
請求項８においては、前記プロテクターは、上半身を保護するプロテクターであり、少なくとも、椎骨部、肩甲骨部、肋骨部、肘部、肩部、を保護する位置に衝撃吸収部材を配置するものである。
【００１４】
請求項９においては、ウエアに衝撃吸収部材を取り付けて構成されるプロテクターであって、保護する身体の部位に応じて、異なる材質の衝撃吸収部材を選択して配置するものである。
【００１５】
請求項１０においては、前記プロテクターは、下半身を保護するプロテクターであり、孔を設けた衝撃吸収部材を、臀部保護用に使用するものである。
【００１６】
請求項１１においては、前記プロテクターは、下半身を保護するプロテクターであり、該プロテクターを膝下丈に構成するものである。
【００１７】
請求項１２においては、前記プロテクターは、下半身を保護するプロテクターであり、該プロテクターの膝部分には、縦方向にのみ伸びる素材が使用されるものである。
【００１８】
請求項１３においては、前記プロテクターは、上半身を保護するプロテクターであり、ハニカム構造で構成された衝撃吸収部材を、少なくとも、肩甲骨部保護用、肋骨部保護用、肩部保護用に使用するものである。
【００１９】
請求項１４においては、前記プロテクターは、身頃部と袖部とで構成された上半身を保護するプロテクターであり、該身頃部から袖部を着脱可能にするものである。
【００２０】
請求項１５においては、前記プロテクターに取り付けた衝撃吸収部材の一部を着脱可能に構成したものである。
【００２１】
【発明の実施の形態】
次に、発明の実施の形態を説明する。
本発明のプロテクターは、スノーボード、スケートボード、スノースクート、スキー、インラインスケート、ダンス等のスポーツを行う際、モータバイク、マウンテンバイクやＢＭＸ等の自転車競技を行う際等の、転倒時に備えて身に付けるものである。
まず、下半身のプロテクターについて説明する。
図１（ａ）は下半身のプロテクターの正面図、（ｂ）は同じく後面図、図２は同じく後上方斜視図、図３は同じく後方斜視図、図１７（ａ）は丈の長いパンツに衝撃吸収部材を取り付けたプロテクターの正面図、（ｂ）は同じく後面図、図１８は衝撃吸収部材の断面図である。
【００２２】
図１乃至図３に示すように、下半身のプロテクターは、スポーツウェアのパンツ１１に、複数の衝撃吸収部材１２・１３・１４・１５・１６を取り付けて構成されている。衝撃吸収部材１２・１３・１４・１５・１６のパンツ１１への取り付けは、例えば本例の場合、パンツ１１の表生地と裏生地の間に衝撃吸収部材１２・１３・１４・１５・１６を介装して、各衝撃吸収部材１２・１３・１４・１５・１６の周囲の表生地と裏生地とを縫製することでおこなっている。
【００２３】
該パンツ１１は、膝上丈のパンツであり、使用者がはいたときに、体とプロテクターとの間に若干の隙間が生じる程度のゆとりを持たせた大きさにしている。また、パンツの素材は、吸汗速乾性を有する通気性の良い素材を使用しており、汗等による気化熱による体温の損失を最小限に抑えるとともに、下半身のムレをなくして肌触りを良くしている。
また、パンツ前面の中央部には、横方向に形成される開口部１１ａが設けられており、男性が小用を足すときのプロテクターの使いやすさを向上させている。
【００２４】
そして、該パンツ１１には、複数の衝撃吸収部材１２・１３・１４・１５・１６が取り付けられている。
これらの衝撃吸収部材は、臀部を覆う臀部保護用衝撃吸収部材１２、尾骨を覆う尾骨保護用衝撃吸収部材１３・１３、大腿部を覆う大腿部保護用衝撃吸収部材１４・１４、骨盤や腰を覆う骨盤腰保護用衝撃吸収部材１５・１５、太股の後面を覆う太股保護用衝撃吸収部材１６・１６で構成されている。
各々の衝撃吸収部材１２・１３・１４・１５・１６は、隙間が殆ど無いように、詰めて配置している。
ここで、隙間が殆ど無いとは、各衝撃吸収部材１２・１３・１４・１５・１６間の隙間が、表生地と裏生地とを縫成するために必要な程度のスペースのみであることをいうが、これよりも若干広いスペースを有していても、後述する衝撃吸収の効果と同等の効果を得ることが可能である。
【００２５】
前記臀部保護用衝撃吸収部材１２・１２は、パンツ１１後面の左右両側臀部近傍に配設されている。該臀部保護用衝撃吸収部材１２は、複数のパーツ１２ａ・１２ｂ・・・に分割されており、上部から下部へ行くに従って、内側まで延びる形状となっている（パーツ１２ａよりもパーツ１２ｂの方が、パーツ１２ｂよりもパーツ１２ｃの方が、より内側まで配置されている）。
本実施例では、臀部保護用衝撃吸収部材１２は、上下方向に四個に分割され、夫々のパーツ１２ａ・１２ｂ・１２ｃ・１２ｄは、体の丸みにあわせて曲線により分割されている。
具体的には、上端に配置している第一のパーツ１２ａは、上部が狭く下部が広い略三角形状に形成されており、第二のパーツ１２ｂ及び第三のパーツ１２ｃは、上部が狭く下部が広い略台形状に形成されており、下端に配置している第四のパーツ１２ｄは、上部が広く下部が狭い略三角形状に形成されている。
【００２６】
臀部保護用衝撃吸収部材１２を複数に分割して形成される各パーツ１２ａ・１２ｂ・１２ｃ・１２ｄは、力を加えて屈曲させることなく、自然に身体の曲面に応じてフィットすることができるだけの大きさに形成される。
つまり、例えば図１８（ａ）に示すように、保護用衝撃吸収部材５１が複数のパーツに分割されてない場合は、力がかからない状態では保護用衝撃吸収部材５１は真っ直ぐに伸びた形態となるので、身体５２と保護用衝撃吸収部材５１との間に隙間Ｓができてフィットしない。これを身体にフィットさせようとすると、保護用衝撃吸収部材５１に力を加わえて身体にフィットする形状に屈曲させる必要があるため、着心地が良くない。
これに対し、図１８（ｂ）に示す臀部保護用衝撃吸収部材１２のように、複数のパーツ１２ａ・１２ｂ・・・に分割した場合は、該パーツ１２ａ・１２ｂ・・・に力がかからない体が伸びた状態であっても、身体５２にフィットするため着心地が良くなる。
【００２７】
また、各パーツ１２ａ・１２ｂ・１２ｃ・１２ｄは、各パーツ間に隙間が殆ど無くなるように、詰めて配置している。
ここで、隙間が殆ど無いとは、前述の各衝撃吸収部材１２・１３・１４・１５・１６間の隙間の場合と同様に、各パーツ１２ａ・１２ｂ・１２ｃ・１２ｄ間の隙間が、表生地と裏生地とを縫成するために必要な程度のスペースのみであることをいうが、これよりも若干広いスペースを有していてもよい。（以下の各衝撃吸収部材１２・１３・１４・１５・１６における各パーツについても同様である。）
【００２８】
前記尾骨保護用衝撃吸収部材１３は、パンツ１１の後面の中央部に上下方向に配設され、腰から股までを覆っている。該尾骨保護用衝撃吸収部材１３は、概ね上部が広く下部が狭い形状に形成されており、複数のパーツ１３ａ・１３ｂ・・・に分割されている。各パーツ１３ａ・１３ｂ・１３ｃ・１３ｄは、各パーツ間に隙間が殆ど無いように、詰めて配置している。
本実施例では、尾骨保護用衝撃吸収部材１３は、上下方向に六個に分割され、夫々のパーツ１３ａ・１３ｂ・１３ｃ・１３ｄ・１３ｄ・１３ｅ・１３ｆは、体の丸みにあわせて曲線により分割されている。
具体的には、上部に配置している第一のパーツ１３ａ及び第二のパーツ１３ｂは、幅の広い略四角形状に形成されている。そして、第三のパーツ１３ｃから第六のパーツ１３ｆは、上方に配置されるものから下方に配置されるものとなるにしたがって、徐々に幅が狭くなるような形状に形成し、第五のパーツ１３ｅ及び第六のパーツ１３ｆは、尾骨から股の部分を覆う位置に配置されている。
【００２９】
前記大腿部保護用衝撃吸収部材１４・１４は、パンツ１１の左右側面に上下方向に配設され、大腿部を覆っており、複数のパーツ１４ａ・１４ｂ・・・に分割されている。
本実施例では、大腿部保護用衝撃吸収部材は、上下方向に三個に分割され、夫々のパーツ１４ａ・１４ｂ・１４ｃは、体の丸みにあわせて曲線により分割されている。
各々のパーツ１４ａ・１４ｂ・１４ｃは、略四角形状、または、三角形状に形成され、各々のパーツ１４ａ・１４ｂ・１４ｃ間の隙間が殆ど無いように配置している。
【００３０】
前記骨盤腰保護用衝撃吸収部材１５・１５は、パンツ１１の両側の上側部に配置している。
骨盤腰保護用衝撃吸収部材１５は、左右方向に二分割され、夫々のパーツ１５ａ・１５ｂは、体の丸みにあわせて曲線により分割されている。各パーツ１５ａ・１５ｂは、隙間が殆ど無いように配置している。
具体的には、第一のパーツ１５ａは、尾骨保護用衝撃吸収部材１３の側方であって、臀部保護用衝撃吸収部材１２の上方に配置しており、略四角形状に形成されている。第二のパーツ１５ｂは、第一のパーツ１５ａの側方であって、大腿部保護用衝撃吸収部材１４の上方に配置している。
【００３１】
前記太股保護用衝撃吸収部材１６・１６は、パンツ１１の両側の太股部後面に配置し、複数のパーツ１６ａ・１６ｂ・・・に分割されている。
本実施例では、太股保護用衝撃吸収部材１６・１６は、左右の臀部保護用衝撃吸収部材１２・１２の下方に位置しており、略逆「ハ」の字状に配置されている。そして、左右の太股保護用衝撃吸収部材１６・１６は、それぞれ左右に二分割されている。
【００３２】
前記衝撃吸収部材１２・１３・１４・１５・１６は、前述のように、互いに略隙間無く配置することが望ましい。
本実施例では、前記尾骨保護用衝撃吸収部材１３と臀部保護用衝撃吸収部材１２・１２、臀部保護用衝撃吸収部材１２・１２と骨盤腰保護用衝撃吸収部材１５・１５、臀部保護用衝撃吸収部材１２・１２と大腿部保護用衝撃吸収部材１４・１４は、それぞれ隙間を殆ど設けずに配置している。
このように、各衝撃吸収部材を、隙間を設けずに配置することで、プロテクターにより臀部や大腿骨部等全体を覆って保護することができ、プロテクター着用時に身体全体が包まれているという高い安心感を使用者に与えることができる。さらに、身体の両側部から後面部までが略隙間無く衝撃吸収部材にて覆われているので、体の動きによりプロテクターがズレた場合でも、十分に体を保護することができる。
【００３３】
また、本プロテクターの衝撃吸収部材は、各関節部分に沿って、さらには筋肉、骨の動きに沿うように、つまりは身体の可動部に沿って、臀部保護用衝撃吸収部材１２や、尾骨保護用衝撃吸収部材１３等の複数の衝撃吸収部材１２・１３・１４・１５・１６に分割されている。
さらに、各衝撃吸収部材１２・１３・１４・１５・１６も同様に、身体の可動部に沿って、それぞれ複数のパーツに分割されている。
このように衝撃吸収部材を分割することで、体の動きに合わせて衝撃吸収部材が体にフィットするようになる。よって、衝撃吸収部材により体の動きが阻害されることがなく、プロテクターを着用時においても体を動かし易くなり、プロテクターの使用感を向上させることができる。
【００３４】
更に、従来のプロテクターは、衝撃吸収部材の位置ズレを防止するために、体を締付けるパンツを使用していたので、体に圧迫感を与え、使用時に不快感があったが、複数に分割された各衝撃吸収部材、及び該衝撃吸収部材を分割して形成した各パーツを、互いに略隙間無く配置することで、保護が必要な部分を全面的に覆うことが可能となって、プロテクターの装着位置が多少ズレた場合でも体をしっかり保護することができることとなる。これにより、ゆとりのある大きさのプロテクターを使用することが可能となり、使用時の圧迫感を解消することができる。
【００３５】
また、各々のパーツはパンツ１１の表生地と裏生地の間に介装され、各パーツ間の表生地と裏生地とが縫製されている。つまり、各パーツが分離されているので、パーツが生地に対してずれることが無く、体をしっかり保護することができる。
また、衝撃吸収部材を分割して、パーツ毎に生地に縫製しているので、パーツとパーツの間から、通気を行うことができ、通気性を更に向上させることができる。
【００３６】
また、衝撃吸収部材のパーツは、衝撃の吸収性や分散性が優れた素材を使用し、また、パーツは弾力性を有しており、形状復元機能にも優れた素材を使用している。
よって、度重なる衝撃によるパーツの消耗やプロテクション効果の現象を最小限に抑えることができる。
【００３７】
また、下半身を保護するプロテクターを、ロングパンツに、前述の衝撃吸収部材を取り付けて構成することもできる。
図１７に示すように、スポーツウェアのパンツ１８に、複数の衝撃吸収部材１２・１３・１４・１５・１６・１７が取り付けられている。
該パンツ１８は、丈が踝近傍まであるロングパンツであり、パンツ１８の素材は、前述の膝上丈のパンツ１１と同様の素材を使用している。
【００３８】
そして、該パンツ１１には、複数の衝撃吸収部材１２・１３・１４・１５・１６・１７が取り付けられている。
該衝撃吸収部材は、臀部を覆う臀部保護用衝撃吸収部材１２、尾骨を覆う尾骨保護用衝撃吸収部材１３・１３、大腿部を覆う大腿部保護用衝撃吸収部材１４・１４、骨盤や腰を覆う骨盤腰保護用衝撃吸収部材１５・１５、太股の後面を覆う太股保護用衝撃吸収部材１６・１６、膝を覆う膝保護用衝撃吸収部材１７・１７で構成されている。
前記衝撃吸収部材１２・１３・１４・１５・１６は、前述の図１乃至図３に示したプロテクターの実施例と同様の構成としている。
【００３９】
前記膝保護用衝撃吸収部材１７・１７は、パンツ１８前面の左右両側膝部分に配設されている。該膝保護用衝撃吸収部材１７は、上下方向に長い甲羅形状に形成されている。また、膝保護用衝撃吸収部材１７は、衝撃に対する吸収性を有するとともに、衝撃に対して反発力があり、弾性を有する素材を使用している。
このような素材を使用することで、膝保護用衝撃吸収部材１７が膝にしっかり適合することができる。また、スノーボード等のスポーツをする時は、膝の曲げ伸ばしを頻繁に行うが、そのハードな動きにも対応することができる。
その他の構成は、前述のプロテクターと同様の構成としている。
このような構成とすることで、一枚のプロテクターで、臀部及び膝、両方を保護することができる。
【００４０】
次に、下半身のプロテクターの別実施例について説明する。
図４（ａ）は別実施例の下半身のプロテクターの正面図、（ｂ）は同じく後面図、図５は同じく後方斜視図、図６は同じく前方斜視図、図７（ａ）は丈の長いパンツに衝撃吸収部材を取り付けた別実施例のプロテクターの正面図、（ｂ）は同じく後面図である。
【００４１】
図４乃至図６に示すように、下半身のプロテクターは、スポーツウェアのパンツ２１に、複数の衝撃吸収部材２２・２３・２４・２５・２７を取り付けて構成されている。
該パンツ２１は、膝下丈のパンツで、パンツ２１の両下端の膝下部に面ファスナー２１ｃ・２１ｃがそれぞれ取り付けられており、面ファスナー２１ｃ・２１ｃにより、後述する膝保護用衝撃吸収部材２７・２７の位置調節が可能な構成としている。
また、該パンツ２１は、全体的にどの方向にも伸びる素材であって、通気性の優れた素材を使用しており、汗等による気化熱による体温の損失を最小限に抑えるとともに、下半身のムレをなくして肌触りを良くしている。
該パンツ２１前面の中央部には、横方向に形成される開口部２１ａが設けられており、男性が小用を足すときのプロテクターの使いやすさを向上させている。
【００４２】
そして、該パンツ２１には、複数の衝撃吸収部材２２・２３・２４・２５・２７が取り付けられている。
該衝撃吸収部材は、臀部を覆う臀部保護用衝撃吸収部材２２・２２、尾骨を覆う尾骨保護用衝撃吸収部材２３、大腿部を覆う大腿部保護用衝撃吸収部材２４・２４、骨盤や腰を覆う骨盤腰保護用衝撃吸収部材２５・２５、膝を覆う膝保護用衝撃吸収部材２７・２７で構成されている。
【００４３】
前記臀部保護用衝撃吸収部材２２・２２は、パンツ２１後面の左右両側の臀部近傍に配設されている。該臀部保護用衝撃吸収部材２２・２２は、上下方向に長い略楕円形状に形成されており、略逆「ハ」字状に配置している。そして、該臀部保護用衝撃吸収部材２２・２２の下部と後述する尾骨保護用衝撃吸収部材２３の下部との間に隙間が殆どなくなるように、臀部保護用衝撃吸収部材２２・２２を尾骨保護用衝撃吸収部材２３に近づけて配置している。
【００４４】
ここで、各衝撃吸収部材２２・２３・２４・２５・２７は、パンツ２１の生地に対して外側から縫い付けることにより取り付けられている。そして、「臀部保護用衝撃吸収部材２２・２２の下部と尾骨保護用衝撃吸収部材２３の下部との間に隙間が殆どなくなる」とは、臀部保護用衝撃吸収部材２２・２２と尾骨保護用衝撃吸収部材２３との間に、該保護用衝撃吸収部材２２・２２・２３の縫い付け代程度のスペースしかないことをいう。但し、これよりも若干広いスペースを有していてもよい。また、この隙間が殆どない範囲が、本例の場合よりも多くてもよい。他の衝撃吸収部材間についても同様である。
【００４５】
前記尾骨保護用衝撃吸収部材２３は、パンツ２１の後面の中央部に上下方向に配設されており、尾骨保護用衝撃吸収部材２３を左右の臀部の間に位置させて、尾骨を保護している。該尾骨保護用衝撃吸収部材２３は、上下方向に長い略長方形状であって、下部を広く形成している。そして、前述のごとく、前記臀部保護衝撃吸収部材２２・２２の下部と尾骨保護用衝撃吸収部材２３の下部との間に隙間が殆どなくなるように、尾骨保護用衝撃吸収部材２３を配置することで、転倒時に地面（雪面）に当たる回数の多い臀部近傍を全体的に保護している。また、転倒時に、臀部保護衝撃吸収部材２２・２２の下部と尾骨保護用衝撃吸収部材２３の下部との隙間から身体が地面（雪面）に直接当たることがなく、確実に衝撃を吸収することができるとともに、安心感を与えることができる。
【００４６】
前記大腿部保護用衝撃吸収部材２４・２４は、パンツ２１の左右側面に上下方向に配設され、大腿部を覆っており、複数のパーツ２４ａ・・・に分割されている。具体的には、大腿部保護用衝撃吸収部材２４は、骨の動きに沿うように複数のパーツ２４ａ・・・に分割されている。
このように、該大腿部保護用衝撃吸収部材２４を骨の動きに沿うように複数のパーツ２４ａ・・・に分割することで、体の動きに合わせてパーツ２４ａ・・・が動くことができ、体にフィットするようになる。よって、衝撃吸収部材により体の動きを阻害されることがなく、プロテクターの着用時においても体を動かし易くなり、プロテクターの使用感を向上させることができる。
【００４７】
前記骨盤腰保護用衝撃吸収部材２５・２５は、パンツ２１の両側の上側部に配置され、骨盤や腰を保護している。また、該骨盤腰保護用衝撃吸収部材２５は、着脱可能に取り付けられており、プロテクターの使用状況に合わせて取り付け・取り外しを可能にしている。
【００４８】
前記膝保護用衝撃吸収部材２７・２７は、パンツ２１前面の左右両側膝部分に配設されている。該膝保護用衝撃吸収部材２７は、上下方向に長い甲羅形に形成されている。
【００４９】
次に、衝撃吸収部材の素材・構成について説明する。
膝や大腿部は、スポーツ時に頻繁に動かす部分であり、これらの部分を保護する衝撃吸収部材２４・２４・２７・２７には、衝撃に対する吸収性を有するとともに、衝撃に対して反発力があり、弾性を有する素材を使用している。このような素材を使用することで、膝や大腿部に衝撃吸収部材２４・２４・２７・２７が膝や大腿部にしっかり適合することができ、また、ハードな動きにも対応することができる。
【００５０】
臀部、尾骨、及び、骨盤を保護する衝撃吸収部材２２・２２・２３・２５・２５は多層構造（本例では２層構造）とされており、外側の層に衝撃を反発する素材を、内側の層に衝撃を吸収する素材を使用している。また、該衝撃吸収部材２２・２２・２３・２５・２５をエアーキャップ構造（中空構造）とすることで、転倒時の衝撃を体に伝え難くしている。
更に、前記臀部保護用衝撃吸収部材２２・２２には、複数の通気用の孔２２ａ・・・が設けられている。このように、比較的、衝撃の吸収性を必要としない臀部保護用衝撃吸収部材２２・２２に、複数の通気孔を設けることで、通気性を更に向上させることができ、プロテクター着用時の使用感を良くすることができる。
【００５１】
このように、身体の保護する部分に合わせて、衝撃吸収部材の素材や構造を変えることで、衝撃吸収部材による衝撃の吸収性を良くするとともに、プロテクターの通気性をアップして、また、体を動き易くすることができ、プロテクターの使用感及び安心感を向上させることができる。
【００５２】
また、パンツ２１の膝部分には、縦方向にのみ伸びる素材２１ｂ・２１ｂが使用されている。該素材２１ｂ・２１ｂは正面視略Ｘ字状に形成されており、前記膝保護用衝撃吸収部材が中心となる位置に配置されている。縦方向にのみ伸びる素材２１ｂ・２１ｂは、パンツ２１の他の生地と伸び率の違う生地を使用している。このように、縦方向にのみ伸びる素材２１ｂ・２１ｂをパンツ２１膝部分に使用することで、前記膝保護用衝撃吸収部材２７・２７の横方向への位置ズレを防止することができ、激しく動く膝部を確実に保護できる。また、膝部分のテーピング機能も兼用することができる。
このように、パンツ２１の丈を膝下丈とすることで、例えば本プロテクターをスノーボードを行う際に装着したときには、パンツ２１の裾がブーツや靴下と重ならないので、ごわつき等が解消され、プロテクター着用時の使用感を向上させることができる。
なお、図７に示すように、パンツの丈は、くるぶし近傍まで長くすることもできる。逆に、短くすることもできる。
【００５３】
次に、上半身のプロテクターについて説明する。
図８（ａ）は上半身のプロテクターの正面図、（ｂ）は同じく後面図、図９は同じく後方斜視図、図１０は同じく前方斜視図、図１１（ａ）は着脱可能な袖部を有する上半身のプロテクターの正面図、（ｂ）は同じく後面図、図１２は同じく後方斜視図、図１３は、袖部を取り外した状態を示す前方斜視図、図１６はハニカム構造を示す図である。
【００５４】
図８乃至図１０に示すように、上半身のプロテクターは、スポーツウェアのシャツ３１に、複数の衝撃吸収部材３２・３３・３４・３５・３６・３７を取り付けて構成されている。
衝撃吸収部材３２・３３・３４・３５・３６・３７のシャツ３１への取り付けは、例えば本例の場合、シャツ３１の表生地と裏生地の間に衝撃吸収部材３２・３３・３４・３５・３６・３７を介装して、各衝撃吸収部材３２・３３・３４・３５・３６・３７の周囲の表生地と裏生地とを縫製することで行っている。
該シャツ３１は、身頃部３１ａ、袖部３１ｂ等からなり、袖部３１ｂの下部は、吸汗速乾性を有する通気性の良い素材を使用しており、汗等による気化熱による体温の損失を最小限に抑えるとともに、ムレをなくして肌触りを良くしている。また、袖部３１ｂの下面は更に通気性の良い素材を使用しており、特に汗をかき易い脇下の通気性を向上させている。
【００５５】
そして、該シャツ３１には、複数の衝撃吸収部材３２・３３・３４・３５・３６・３７が取り付けられている。
これらの衝撃吸収部材は、椎骨を覆う椎骨保護用衝撃吸収部材３２、肩甲骨を覆う肩甲骨保護用衝撃吸収部材３３・３３、肋骨を覆う肋骨保護用衝撃吸収部材３４・３４、肩を保護する肩保護用衝撃吸収部材３５・３５、肘を覆う肘保護用衝撃吸収部材３６・３６、鎖骨を保護する鎖骨保護用衝撃吸収部材３７・３７等で構成されている。
【００５６】
前記椎骨保護用衝撃吸収部材３２は、身頃部３１ａの後面の中央部に、上下方向に配設され、略楕円形状に形成されている。
椎骨保護用衝撃吸収部材３２は、上下方向に分割されており、身頃部３１ａの上部に頚椎保護用パーツ３２ａを、中央部に胸椎保護用パーツ３２ｂを、下部に腰椎保護用パーツ３２ｃを配置して構成している。
このように、椎骨保護用衝撃吸収部材３２を複数に分割（本例では三分割）してシャツ３１に取り付けることで、椎骨をしっかりと保護するとともに、上半身のねじれ等の動きに対応することができ、衝撃吸収部材により身体の動きを阻害されることがなく、プロテクターの使用感を向上させることができる。
【００５７】
前記肋骨保護用衝撃吸収部材３３・３３は、前記椎骨保護用衝撃吸収部材３２の側方から前面にかけて、肋骨のラインに沿って肋骨を包むように配設されている。具体的には、前記肋骨保護用衝撃吸収部材３３は、骨の動きに沿うように複数のパーツ３３ａ・・・に分割されており、また、身体のライン（丸み）に沿うように立体的に配置されている。
【００５８】
前記肩甲骨保護用衝撃吸収部材３４・３４は、身頃部３１ａの後面の左右上部に配設されており、肩甲骨を覆う位置に取り付けられている。該肩甲骨保護用衝撃吸収部材３３は、例えば二個のパーツ３４ａ・３４ａに分割されており、また、身体のライン（丸み）に沿うように立体的に配置されている。
【００５９】
前記肩保護用衝撃吸収部材３５・３５は、袖部３１ｂの外側上部に配置している。該肩保護用衝撃吸収部材３５・３５は、肩の曲線に合わせて複数のパーツ３５ａ・・・に分割されており、また、身体のライン（丸み）に沿うように立体的に配置されている。
【００６０】
前記鎖骨保護用衝撃吸収部材３７・３７は、身頃部３１ａの前面の左右上部に配設されており、鎖骨を覆う位置に取り付けられている。鎖骨保護用衝撃吸収部材３７は、例えば二個のパーツ３７ａ・３７ａに分割されており、また、身体のライン（丸み）に沿うように立体的に配置されている。
【００６１】
前記肘保護用衝撃吸収部材３６・３６は、袖部３１ｂの後面中央部の肘部分に配設されている。該肘保護用衝撃吸収部材３６は、袖の丈方向に長い甲羅形に形成されている。
【００６２】
このように、衝撃吸収部材３２・３３・３３・３４・３４・３５・３５・３６・３６・３７・３７を分割されたパーツで構成し、また、各々のパーツを身体のライン（丸み）に沿うように立体的に配置することで、身体の動きに合わせてパーツが身体にフィットするようになる。よって、衝撃吸収部材により体の動きが害されることがなく、プロテクターの使用感を向上させることができる。
【００６３】
また、各々のパーツは、シャツ３１の表生地と裏生地の間に介装され、各パーツ間の表生地と裏生地とが縫製されている。つまり、各パーツが分離されているので、パーツが生地に対してずれることが無く、体をしっかり保護することができる。
また、衝撃吸収部材を分割して、パーツ毎に生地に縫製しているので、パーツとパーツの間から、通気を行うことができ、通気性を更に向上させることができる。
【００６４】
更に、袖部３１ｂの袖口に紐輪等の掛止具３１ｅが設けられている。該掛止具３１ｅは、図９に示すように、親指に通して使用することで、袖部３１ｂのねじれを防ぐものである。このように、掛止具３１ｅを使用することで、袖部３１ｂのねじれにより、前記肘保護用衝撃吸収部材３６・３６や前記肩保護用衝撃吸収部材３５・３５が所定部位からズレるのを防止することができる。
【００６５】
次に、衝撃吸収部材の素材・構成について説明する。
前記肋骨保護用衝撃吸収部材３３・３３、前記肩甲骨保護用衝撃吸収部材３４・３４、前記肩保護用衝撃吸収部材３５・３５は、図１６に示すように、例えばセルＳが三角形状のハニカム構造により構成されている。ハニカム構造は、軽量かつ柔軟性に優れ、ハードな動きにも対応でき、身体表面に対して垂直方向にかかる衝撃にも強い。よって、衝撃吸収部材にハニカム構造の素材を使用することで、衝撃吸収部材に求められる衝撃に対する吸収性と、スポーツウェアに求められる通気性とを有する構成とすることができる。
【００６６】
また、膝や鎖骨近傍は、スポーツ時に頻繁に動かす部分であり、これらの部分を保護する衝撃吸収部材３６・３６・３７・３７には、衝撃に対する吸収性を有するとともに、衝撃に対して反発力があり、弾性を有する素材を使用している。このような素材を使用することで、膝や鎖骨近傍に衝撃吸収部材３６・３６・３７・３７がしっかり適合するとともに、ハードな動きにも対応できるようにしている。
【００６７】
前記椎骨保護用衝撃吸収部材３２は、多層構造（本例では二層構造）とされており、外側の層に衝撃を反発する素材を、内側の層に衝撃を吸収する素材を使用している。また、衝撃吸収部材３２をエアーキャップ構造（中空構造）とすることで、転倒時の衝撃を体に伝えにくい構成としている。
【００６８】
このように、体の保護する部分に合わせて、衝撃吸収部材の素材や構成を変えることで、衝撃吸収部材による衝撃の吸収性を良くするとともに、プロテクターの通気性をアップして、また、体を動き易くすることができ、プロテクターの使用感及び安心感を向上させることができる。
なお、本実施例では、前記肋骨保護用衝撃吸収部材３３・３３、前記肩甲骨保護用衝撃吸収部材３４・３４、前記肩保護用衝撃吸収部材３５・３５をハニカム構造で構成しているが、その他の衝撃吸収部材をハニカム構造とすることもできる。
【００６９】
また、図１１乃至図１３に示すように、身頃部３１ａと袖部３１ｂとの間にファスナー３１ｃ・３１ｃを設けて、袖部３１ｂを身頃部３１ａから着脱可能にすることもできる。このように袖部３１ｂを着脱可能な構成とすることで、一つのプロテクターで、袖部３１ｂを取り付けた仕様と袖部３１ｂを取り付けない仕様との何れかを選択して、目的に合ったプロテクターが選択可能となる。
また、袖部３１ｂ下面にファスナー３１ｄ・３１ｄを取り付けて、ファスナー３１ｄ・３１ｄを開けることで袖部３１ｂ内部の余分な熱を外部に放出する構成とすることもできる。このような構成とすることで、汗等による気化熱による体温の損失を最小限に抑えるとともに、下半身のムレをなくして肌触りを良くしている。
【００７０】
なお、プロテクターを、本例のように、上半身を保護するシャツタイプのプロテクターに構成した場合でも、図１乃至図３に示すパンツタイプのプロテクターと同様に、各衝撃吸収部材及びそのパーツを略隙間がないように配置することもできる。
【００７１】
更に、椎骨保護用衝撃吸収部材３２や、肩甲骨保護用衝撃吸収部材３４・３４には、複数の通気用の孔が適宜位置に設けられている。このように複数の通気孔を設けることで、通気性を更に向上させることができ、プロテクター着用時の使用感を良くすることができる。
【００７２】
次に、上半身のプロテクターの別実施例について説明する。
図１４（ａ）は別実施例の上半身のプロテクターの正面図、（ｂ）は同じく後面図、図１５は同じく後方斜視図である。
図１４、図１５に示すように、上半身のプロテクターは、スポーツウェアのシャツ４１の内側に、椎骨保護用衝撃吸収部材３２を取り付けて構成されている。
該シャツ４１は、袖がなく身頃部４１ａからなり、両脇の下方４１ｂに吸汗速乾性を有する通気性の良い素材を使用しており、汗等による気化熱による体温の損失を最小限に抑えるとともに、ムレをなくして肌触りを良くしている。
【００７３】
前記椎骨保護用衝撃吸収部材３２は、身頃部４１ａの後面の中央部に、上下方向に配設され、略楕円形状に形成されている。該椎骨保護用衝撃吸収部材３２は、身頃部４１ａに着脱可能に取り付けられており、該椎骨保護用衝撃吸収部材３２をシャツ４１から取り外せば、シャツ４１を普段着として使用することもできる。
【００７４】
前記椎骨保護用衝撃吸収部材３２は、上下方向に分割されており、身頃部３１ａの上部に頚椎保護用パーツ３２ａを、中央部に胸椎保護用パーツ３２ｂを、下部に腰椎保護用パーツ３２ｃを配置して構成している。
このように、椎骨保護用衝撃吸収部材３２を複数に分割（本例では三分割）してシャツ３１に取り付けることで、椎骨をしっかりと保護するとともに、上半身のねじれ等の動きに対応することができ、衝撃吸収部材により身体の動きを阻害されることがなく、プロテクターの使用感を向上させることができる。
【００７５】
本実施例では、椎骨保護用衝撃吸収部材３２は、多層構造（本例では二層構造）とされており、外側の層に衝撃を反発する素材を、内側の層に衝撃を吸収する素材を使用しており、また、衝撃吸収部材をエアーキャップ構造（中空構造）とすることで、転倒時の衝撃を体に伝えにくい構成としている。また、椎骨保護用衝撃吸収部材３２の適宜位置に孔を設けることで、通気性を向上さることもできる。
なお、椎骨保護用衝撃吸収部材３２を前述したハニカム構造の素材を使用することもできる。
【００７６】
このように、袖のないシャツ４１に椎骨保護用衝撃吸収部材３２を取り付けてプロテクターとすることで、プロテクター使用時の圧迫感を解消することができる。また、シャツ４１の内部衝撃吸収部材を着脱可能に取り付ける構成とすることで、デザイン性にも優れ、また、持ち運びも便利である。
【００７７】
【発明の効果】
本発明は、以上のように構成したので、以下に示すような効果を奏する。
【００７８】
即ち、請求項１に示す如く、ウエアに衝撃吸収部材を取り付けて構成されるプロテクターであって、該衝撃吸収部材を身体の可動部に沿って複数に分割したので、
体の動きに合わせて衝撃吸収部材が体に適合するようになり、衝撃吸収部材により体の動きを阻害されることがない。よって、プロテクター着用時においても体を動かし易くなり、プロテクターの使用感を向上させることができる。
【００７９】
請求項２に示す如く、複数に分割された各衝撃吸収部材が、互いに略隙間無く配置されている箇所を有するので、身体を確実に保護することができ、高い安心感を使用者に与えることができる。
【００８０】
請求項３に示す如く、各衝撃吸収部材が略隙間無く配置されている箇所は、地面に接する頻度が他の箇所よりも多い箇所であるので、
身体を効果的に保護することができ、高い安心感を使用者に与えることができる。
【００８１】
請求項４に示す如く、複数に分割された各衝撃吸収部材は、さらに複数のパーツに分割され、各衝撃吸収部材同士、及び各パーツ同士が、互いに略隙間なく配置されるので、
衝撃吸収部材が身体に適合するようになり、衝撃吸収部材により体の動きを阻害されることがなく、身体を更に動かし易くなる。また、身体全面を覆うことができ、高い安心感を使用者に与えることができる。
【００８２】
請求項５に示す如く、前記各パーツは、力を加えることなく身体にフィットするだけの大きさに分割されているので、
プロテクターの装着感を向上させることができるとともに、プロテクター着用時においても体を動かし易くなる。
【００８３】
請求項６に示す如く、前記プロテクターは、ゆとりを持って装着できる大きさに構成されるので、
プロテクターの装着状態が多少ズレたとしても、体をしっかり保護でき、更に、使用時の圧迫感を解消することができる。
【００８４】
請求項７に示す如く、前記プロテクターは、下半身を保護するプロテクターであり、少なくとも、臀部、尾骨部、大腿部、を保護する位置に衝撃吸収部材を配置するので、
プロテクターにより臀部や大腿骨部等全体を覆って保護することができ、プロテクター着用時に身体全体が包まれているという高い安心感を使用者に与えることができる。
【００８５】
請求項８に示す如く、前記プロテクターは、上半身を保護するプロテクターであり、少なくとも、椎骨部、肩甲骨部、肋骨部、肘部、肩部、を保護する位置に衝撃吸収部材を配置するので、
体の動きに合わせて衝撃吸収部材が体に適合するようになり、衝撃吸収部材により体の動きを阻害されることがない。よって、プロテクター着用時においても体を動かし易くなり、プロテクターの使用感を向上させることができる。
【００８６】
請求項９に示す如く、ウエアに衝撃吸収部材を取り付けて構成されるプロテクターであって、保護する身体の部位に応じて、異なる材質の衝撃吸収部材を選択して配置するので、
衝撃吸収部材による衝撃の吸収性を良くするとともに、プロテクターの通気性をアップして、また、体を動き易くすることができ、プロテクターの使用感及び安心感を向上させることができる。
【００８７】
請求項１０に示す如く、前記プロテクターは、下半身を保護するプロテクターであり、孔を設けた衝撃吸収部材を、臀部保護用に使用するので、
衝撃吸収部材の通気性を良くして、プロテクターの使用感を向上させることができる。
【００８８】
請求項１１に示す如く、前記プロテクターは、下半身を保護するプロテクターであり、該プロテクターを膝下丈に構成するので、
例えば本プロテクターをスノーボードを行う際に装着した時には、プロテクターの裾がブーツと靴下と重ならないので、ごわつき等が解消され、プロテクター着用時の使用感を向上させることができる。
【００８９】
請求項１２に示す如く、前記プロテクターは、下半身を保護するプロテクターであり、該プロテクターの膝部分には、縦方向にのみ伸びる素材が使用されるので、
衝撃吸収部材の横方向への位置ズレを防止することができ、激しく動く膝部を確実に保護することができる。また、膝部分のテーピング機能も兼用することができる。
【００９０】
請求項１３に示す如く、前記プロテクターは、上半身を保護するプロテクターであり、ハニカム構造で構成された衝撃吸収部材を、少なくとも、肩甲骨部保護用、肋骨部保護用、肩部保護用に使用するので、
衝撃吸収部材による衝撃の吸収性を良くするとともに、プロテクターの通気性をアップして、また、体を動き易くすることができ、プロテクターの使用感及び安心感を向上させることができる。
【００９１】
請求項１４に示す如く、前記プロテクターは、身頃部と袖部とで構成された上半身を保護するプロテクターであり、該身頃部から袖部を着脱可能にするので、
袖部を取り付けた仕様と袖部を取り付けない仕様との何れかを選択して目的に合ったプロテクターが選択可能となる。
【００９２】
請求項１５に示す如く、前記プロテクターに取り付けた衝撃吸収部材の一部を着脱可能に構成したので、
プロテクターの使用状況に合わせて衝撃吸収部材の取り付け・取り外しが行え、ユーザーのニーズに柔軟に対応することができる。
【図面の簡単な説明】
【図１】（ａ）は下半身のプロテクターの正面図、（ｂ）は同じく後面図。
【図２】同じく後上方斜視図。
【図３】同じく後方斜視図。
【図４】（ａ）は別実施例の下半身のプロテクターの正面図、（ｂ）は同じく後面図。
【図５】同じく後方斜視図。
【図６】同じく前方斜視図。
【図７】（ａ）は丈の長いパンツに衝撃吸収部材を取り付けた別実施例のプロテクターの正面図、（ｂ）は同じく後面図。
【図８】（ａ）は上半身のプロテクターの正面図、（ｂ）は同じく後面図。
【図９】同じく後方斜視図。
【図１０】同じく前方斜視図。
【図１１】（ａ）は着脱可能な袖部を有する上半身のプロテクターの正面図、（ｂ）は同じく後面図。
【図１２】同じく後方斜視図。
【図１３】袖部を取り外した状態を示す前方斜視図。
【図１４】（ａ）は別実施例の上半身のプロテクターの正面図、（ｂ）は同じく後面図。
【図１５】同じく後方斜視図。
【図１６】ハニカム構造を示す図。
【図１７】（ａ）は丈の長いパンツに衝撃吸収部材を取り付けたプロテクターの正面図、（ｂ）は同じく後面図。
【図１８】衝撃吸収部材の断面図。
【図１９】従来のプロテクターを示す図。
【符号の説明】
１１  パンツ
１２  臀部保護用衝撃吸収部材
１３  尾骨保護用衝撃吸収部材
１４  大腿部保護用衝撃吸収部材
３１  シャツ
３２  椎骨保護用衝撃吸収部材
３３  肋骨保護用衝撃吸収部材
３４  肩甲骨保護用衝撃吸収部材
３５  肩保護用衝撃吸収部材
３６  肘保護用衝撃吸収部材
【図１】
2004277967.tif 000003
【図２】
2004277967.tif 000004
【図３】
2004277967.tif 000005
【図４】
2004277967.tif 000006
【図５】
2004277967.tif 000007
【図６】
2004277967.tif 000008
【図７】
2004277967.tif 000009
【図８】
2004277967.tif 000010
【図９】
2004277967.tif 000011
【図１０】
2004277967.tif 000012
【図１１】
2004277967.tif 000013
【図１２】
2004277967.tif 000014
【図１３】
2004277967.tif 000015
【図１４】
2004277967.tif 000016
【図１５】
2004277967.tif 000017
【図１６】
2004277967.tif 000018
【図１７】
2004277967.tif 000019
【図１８】
2004277967.tif 000020
【図１９】
2004277967.tif 000021